【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
プロセッサと、
命令を記憶しているメモリであって、前記命令は、前記プロセッサにより実行されたときに、前記プロセッサに、
コンピュータ読み取り可能なユーザプロファイルから、初期検索リクエストを受信する動作と、
前記初期検索リクエストに応じて、検索を実行する動作と、
前記初期検索リクエストを受信したことに応じて、初期検索結果のセットの少なくとも一部を返す動作であって、前記初期検索結果のセットは、前記初期検索リクエストに応じた検索可能アイテムの表現を含み、前記検索可能アイテムの各々は、コンピュータ読み取り可能なデータ構造である、動作と、
前記初期検索リクエストを受信したことに応じて、検索絞り込みインジケータを返す動作であって、前記検索絞り込みインジケータは、１以上の絞り込み条件であって、前記１以上の絞り込み条件が前記初期検索リクエストと前記初期検索結果のセットとのうちの１以上に関連する場合に動的に提供される１以上の絞り込み条件、を含む、動作と、
前記検索絞り込みインジケータの選択を受信したことに応じて、前記初期検索結果のセットを絞り込み、絞り込み検索結果のセットを生成する動作であって、前記初期検索結果のセットを絞り込むことは、前記検索絞り込みインジケータの予め定められた絞り込み要件のセットを含む要件を満たさない結果を除外するように前記初期検索結果のセットを限定することを含み、前記予め定められた絞り込み要件のセットは、
検索可能アイテムに対する１以上のユーザアクションを含むユーザアクションセットに関する少なくとも１つの要件を指定しているユーザアクション要件セットであって、前記ユーザアクション要件セットは、前記ユーザプロファイルに対する前記ユーザアクションセットの少なくとも１つの関係であって、前記絞り込み検索結果のセットに含められる対応する検索可能アイテム表現を識別する少なくとも１つの関係、をさらに指定しているユーザアクション要件セットと、
前記ユーザプロファイルと１以上の他のユーザプロファイルとの間の１以上の関係であって、前記絞り込み検索結果のセットに含められる、前記１以上の他のユーザプロファイルに関連する１以上の検索可能アイテムに対応する１以上の検索可能アイテム表現を識別する１以上の関係、を含むユーザプロファイル関係セットに関する少なくとも１つの要件を指定しているユーザプロファイル関係要件セットと、
のうちの少なくとも１つを含む、動作と、
前記検索絞り込みインジケータの前記選択を受信したことに応じて、前記絞り込み検索結果のセットの少なくとも一部を返す動作と、
を含む複数の動作を実行させる、メモリと、
を備えたコンピュータシステム。
【請求項２】
前記初期検索結果のセットを絞り込むことは、アクティビティを、検索可能アイテムの表現に関連付けているアクティビティインデックスにアクセスすることを含む、請求項１記載のコンピュータシステム。
【請求項３】
前記アクティビティインデックスは、アクティビティを、ユーザプロファイルに関連付けている、請求項２記載のコンピュータシステム。
【請求項４】
前記初期検索結果のセットを絞り込むことは、ユーザプロファイルを互いに関連付けているソーシャルインデックスにアクセスすることをさらに含む、請求項３記載のコンピュータシステム。
【請求項５】
前記アクティビティインデックスと前記ソーシャルインデックスとは、同じインデックスである、請求項４記載のコンピュータシステム。
【請求項６】
前記アクティビティインデックスと前記ソーシャルインデックスとは、異なるインデックスである、請求項４記載のコンピュータシステム。
【請求項７】
前記複数の動作は、
前記初期検索リクエストを受信したことに応じて、利用可能な検索絞り込みインジケータのセットの全てよりも少ない検索絞り込みインジケータのサブセットを選択する動作であって、前記サブセットを選択することは、前記サブセットを前記初期検索結果のセットに合わせて調整することを含む、動作
をさらに含む、請求項１記載のコンピュータシステム。
【請求項８】
前記複数の動作は、
前記検索絞り込みインジケータとともに、前記検索絞り込みインジケータの選択により前記初期検索結果のセットが絞り込まれる程度のインジケーションを返す動作
をさらに含む、請求項１記載のコンピュータシステム。
【請求項９】
コンピューティング環境におけるプロセッサが実行する方法であって、
前記プロセッサが、コンピュータ読み取り可能なユーザプロファイルから、初期検索リクエストを受信するステップと、
前記初期検索リクエストを受信したことに応じて、前記プロセッサが、初期検索結果のセットの少なくとも一部を提供するステップであって、前記初期検索結果のセットは、前記初期検索リクエストに応じた検索可能アイテムの表現を含み、前記検索可能アイテムの各々は、コンピュータ読み取り可能なデータ構造である、ステップと、
前記初期検索リクエストを受信したことに応じて、前記プロセッサが、検索絞り込みインジケータを提供するステップであって、前記検索絞り込みインジケータは、１以上の絞り込み条件であって、前記１以上の絞り込み条件が前記初期検索リクエストと前記初期検索結果のセットとのうちの１以上に関連する場合に動的に提供される１以上の絞り込み条件、を含む、ステップと、
前記検索絞り込みインジケータを選択したことを示す、前記ユーザプロファイルからのユーザ入力に応じて、前記プロセッサが、絞り込み検索結果のセットの少なくとも一部を提供するステップであって、前記絞り込み検索結果のセットは、前記初期検索結果のセットのサブセットであり、前記サブセットは、前記検索絞り込みインジケータの予め定められた絞り込み要件のセットを含む要件を満たす検索可能アイテムを表し、前記予め定められた絞り込み要件のセットは、
検索可能アイテムに対する１以上のユーザアクションを含むユーザアクションセットに関する少なくとも１つの要件を指定しているユーザアクション要件セットであって、前記ユーザアクション要件セットは、前記ユーザプロファイルに対する前記ユーザアクションセットの少なくとも１つの関係であって、前記絞り込み検索結果のセットに含められる対応する検索可能アイテム表現を識別する少なくとも１つの関係、をさらに指定しているユーザアクション要件セットと、
前記ユーザプロファイルと１以上の他のユーザプロファイルとの間の１以上の関係であって、前記絞り込み検索結果のセットに含められる、前記１以上の他のユーザプロファイルに関連する１以上の検索可能アイテムに対応する１以上の検索可能アイテム表現を識別する１以上の関係、を含むユーザプロファイル関係セットに関する少なくとも１つの要件を指定しているユーザプロファイル関係要件セットと、
のうちの少なくとも１つを含む、ステップと、
を含む方法。
【請求項１０】
プログラムであって、前記プログラムがプロセッサにより実行されたときに、前記プログラムは、前記プロセッサに、
コンピュータ読み取り可能なユーザプロファイルから、初期検索リクエストを受信する動作と、
前記初期検索リクエストに応じて、検索を実行する動作と、
前記初期検索リクエストを受信したことに応じて、初期検索結果のセットの少なくとも一部を返す動作であって、前記初期検索結果のセットは、前記初期検索リクエストに応じた検索可能アイテムの表現を含み、前記検索可能アイテムの各々は、コンピュータ読み取り可能なデータ構造である、動作と、
前記初期検索リクエストを受信したことに応じて、検索絞り込みインジケータを返す動作であって、前記検索絞り込みインジケータは、１以上の絞り込み条件であって、前記１以上の絞り込み条件が前記初期検索リクエストと前記初期検索結果のセットとのうちの１以上に関連する場合に動的に提供される１以上の絞り込み条件、を含む、動作と、
前記検索絞り込みインジケータの選択を受信したことに応じて、前記初期検索結果のセットを絞り込み、絞り込み検索結果のセットを生成する動作であって、前記初期検索結果のセットを絞り込むことは、前記検索絞り込みインジケータの予め定められた絞り込み要件のセットを含む要件を満たさない結果を除外するように前記初期検索結果のセットを限定することを含み、前記予め定められた絞り込み要件のセットは、検索可能アイテムに対する１以上のユーザアクションを含むユーザアクションセットに関する少なくとも１つの要件を指定しているユーザアクション要件セットであって、前記ユーザアクション要件セットは、前記ユーザプロファイルに対する前記ユーザアクションセットの少なくとも１つの関係であって、前記絞り込み検索結果のセットに含められる対応する検索可能アイテム表現を識別する少なくとも１つの関係、をさらに指定しているユーザアクション要件セット、を含み、前記初期検索結果を絞り込むことは、アクティビティを、検索可能アイテムの表現に関連付けており、アクティビティを、ユーザプロファイルに関連付けているアクティビティインデックスにアクセスすることを含み、前記初期検索結果を絞り込むことは、ユーザプロファイルを互いに関連付けているソーシャルインデックスにアクセスすることをさらに含む、動作と、
前記検索絞り込みインジケータの前記選択を受信したことに応じて、前記絞り込み検索結果のセットの少なくとも一部を返す動作と、
を含む複数の動作を実行させる、プログラム。